(57)【要約】【課題】ベルト上で車両モデルが操舵できるようにするとともに、車両モデルがベルト上から逸脱した場合に、安全性を確保する。【解決手段】後方に向けて移動するムービングベルト２００上に接地し、ムービングベルト２００の移動に伴い転動する車輪１００，１１０を有する車両スケールモデル１００と、車両スケールモデル１００を前方から支持するワイヤ４００と、上方から車両スケールモデル１００に接続され、所定の場合に車両スケールモデル１００をムービングベルト２００上から持ち上げる安全装置５００と、を備える、風洞実験システム１０００が提供される。【選択図】図１
2020153672.tif 000002
【特許請求の範囲】
【請求項１】
後方に向けて移動するベルト上に接地し、前記ベルトの移動に伴い転動する車輪を有する車両モデルと、
前記車両モデルを支持する支持部と、
所定の場合に前記車両モデルを前記ベルト上から持ち上げる安全装置と、
を備えることを特徴とする、風洞実験システム。
【請求項２】
前記車両モデルは操舵が可能とされ、
前記安全装置は、前記車両モデルの操舵に関するパラメータが、前記車両モデルの前記ベルトに対する速度に応じて設定された限界値を超えた場合に、前記車両モデルを持ち上げることを特徴とする、請求項１に記載の風洞実験システム。
【請求項３】
前記安全装置は、前記車両モデルに上方から接続されたワイヤと、アクチュエータと、を有し、前記アクチュエータの作動に応じて前記ワイヤを上方に引っ張ることで、前記車両モデルを持ち上げることを特徴とする、請求項１又は２に記載の風洞実験システム。
【請求項４】
前記安全装置は、前記車両モデルに接続された３本の前記ワイヤを有することを特徴とする、請求項３に記載の風洞実験システム。
【請求項５】
前記車両モデルの前方に設置された基準点を撮影するカメラと、
前記カメラが前記基準点を撮影した画像に基づいて前記車両モデルを制御する制御装置と、を備え、
前記制御装置は、前記カメラが前記基準点を撮影した画像から前記車両モデルの横ずれ量を算出し、前記横ずれ量と前記車両モデルの前記ベルトに対する速度とに基づいて、前記車両モデルの操舵を制御することを特徴とする、請求項１〜４のいずれかに記載の風洞実験システム。
【請求項６】
後方に向けて移動するベルト上に接地し、前記ベルトの移動に伴い転動する車輪を有し、操舵が可能な車両モデルにおいて、前記車両モデルの操舵に関するパラメータが限界値を超えたか否かを判定するステップと、
前記車両モデルの操舵に関するパラメータが前記限界値を超えた場合に、前記車両モデルを前記ベルト上から持ち上げるステップと、
を備えることを特徴とする、風洞実験システムの制御方法。
【請求項７】
後方に向けて移動するベルト上に接地し、前記ベルトの移動に伴い転動する車輪を有し、操舵が可能な車両モデルにおいて、前記車両モデルの操舵に関するパラメータが限界値を超えたか否かを判定する手段、
前記車両モデルの操舵に関するパラメータが前記限界値を超えた場合に、前記車両モデルを前記ベルト上から持ち上げる手段、
としてコンピュータを機能させるためのプログラム。
【発明の詳細な説明】
【技術分野】
【０００１】
本発明は、風洞実験システム、風洞実験システムの制御方法及びプログラムに関する。
【背景技術】
【０００２】
従来、例えば下記の特許文献１には、風洞実験装置に関し、可動するムービングベルト上に接地された車両を、吊り線を介して荷重計測器に接続し、車両が上下方向に変位した際の吊り線の引っ張り量を空気力に変換することが記載されている。
【先行技術文献】
【特許文献】
【０００３】
【特許文献１】特開平６−３４１９２０号公報
【発明の概要】
【発明が解決しようとする課題】
【０００４】
風洞実験で実車の状況を正確に反映させるためには、ムービングベルト上で車両モデルを操舵できるようにして、各種測定を行うことが望ましい。一方、ムービングベルト上で車両モデルが操舵できるようにすると、異常発生時などに車両モデルがムービングモデルから逸脱する可能性がある。例えば、車両モデルがムービングベルト上から落下するような事態が生じると、車両モデルやムービングベルトが損傷する可能性もある。
【０００５】
そこで、本発明は、上記問題に鑑みてなされたものであり、本発明の目的とするところは、ベルト上で車両モデルが操舵できるようにするとともに、車両モデルがベルト上から逸脱した場合に、安全性を確保することが可能な、新規かつ改良された風洞実験システム、風洞実験システムの制御方法及びプログラムを提供することにある。
【課題を解決するための手段】
【０００６】
上記課題を解決するために、本発明のある観点によれば、後方に向けて移動するベルト上に接地し、前記ベルトの移動に伴い転動する車輪を有する車両モデルと、前記車両モデルを支持する支持部と、所定の場合に前記車両モデルを前記ベルト上から持ち上げる安全装置と、を備える、風洞実験システムが提供される。
【０００７】
前記車両モデルは操舵が可能とされ、前記安全装置は、前記車両モデルの操舵に関するパラメータが、前記車両モデルの前記ベルトに対する速度に応じて設定された限界値を超えた場合に、前記車両モデルを持ち上げるものであっても良い。
【０００８】
また、前記安全装置は、前記車両モデルに上方から接続されたワイヤと、アクチュエータと、を有し、前記アクチュエータの作動に応じて前記ワイヤを上方に引っ張ることで、前記車両モデルを持ち上げるものであっても良い。
【０００９】
また、前記安全装置は、前記車両モデルに接続された３本の前記ワイヤを有するものであっても良い。
【００１０】
また、前記車両モデルの前方に設置された基準点を撮影するカメラと、前記カメラが前記基準点を撮影した画像に基づいて前記車両モデルを制御する制御装置と、を備え、前記制御装置は、前記カメラが前記基準点を撮影した画像から前記車両モデルの横ずれ量を算出し、前記横ずれ量と前記車両モデルの前記ベルトに対する速度とに基づいて、前記車両モデルの操舵を制御するものであっても良い。
【００１１】
また、上記課題を解決するために、本発明の別の観点によれば、後方に向けて移動するベルト上に接地し、前記ベルトの移動に伴い転動する車輪を有し、操舵が可能な車両モデルにおいて、前記車両モデルの操舵に関するパラメータが限界値を超えたか否かを判定するステップと、前記車両モデルの操舵に関するパラメータが前記限界値を超えた場合に、前記車両モデルを前記ベルト上から持ち上げるステップと、を備える、風洞実験システムの制御方法が提供される。
【００１２】
また、上記課題を解決するために、本発明の別の観点によれば、後方に向けて移動するベルト上に接地し、前記ベルトの移動に伴い転動する車輪を有し、操舵が可能な車両モデルにおいて、前記車両モデルの操舵に関するパラメータが限界値を超えたか否かを判定する手段、前記車両モデルの操舵に関するパラメータが前記限界値を超えた場合に、前記車両モデルを前記ベルト上から持ち上げる手段、としてコンピュータを機能させるためのプログラムが提供される。
【発明の効果】
【００１３】
以上説明したように本発明によれば、ベルト上で車両モデルが操舵できるようにするとともに、車両モデルがベルト上から逸脱した場合に、安全性を確保することが可能となる。
【図面の簡単な説明】
【００１４】
【図１】本発明の一実施形態に係るシステムの構成を示す模式図である。
【図２】安全装置５００により車両スケールモデルを上昇させた状態を示す模式図である。
【図３】車両スケールモデルを示す斜視図である。
【図４Ａ】カメラが撮影した画像の領域と、領域内の基準用ＬＥＤの位置を示す模式図である。
【図４Ｂ】カメラが撮影した画像の領域と、領域内の基準用ＬＥＤの位置を示す模式図である。
【図５】前輪の操舵と安全装置の制御を行う制御装置とその周辺の構成を示す模式図である。
【図６】安全装置を作動させる処理を示すフローチャートである。
【図７】制御可能な操舵角度限界値α０を示す模式図である。
【図８】横ずれ量ｙから操舵角θを算出する方法を説明するための模式図である。
【図９】ワイヤ角度βと車速ｖに基づいて、ＰＩＤ演算により操舵角θを演算する構成を示す模式図である。
【発明を実施するための形態】
【００１５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１６】
まず、図１を参照して、本発明の一実施形態に係る風洞実験システム１０００の構成について説明する。本実施形態は、車両スケールモデルを使用した、ムービングベルト風洞において動的特性を評価するシステムに関する。図１に示すように、この風洞実験システム１０００は、車両スケールモデル１００、ムービングベルト２００、ローラ３００，３１０、ワイヤ４００、安全装置５００、基準用ＬＥＤ６００、を有して構成されている。
【００１７】
車両スケールモデル１００は、ムービングベルト２００上に接地し、ムービングベルト２００の車両後方への動きに応じて転動する前輪１１０及び後輪１２０を備えている。前輪１１０は、ムービングベルト２００上で操舵が可能とされている。より詳細には、前輪１１０は、操舵力を伝達するための操舵用アクチュエータ１１２が搭載されたステアリングラックとタイロッドにより、前輪１１０の転舵が可能とされている。
【００１８】
本実施形態の風洞実験システム１０００では、一般的なスケール風洞で用いている、ムービングベルト２００の上方に車両スケールモデル１００を固定して支持する方法ではなく、ムービングベルト２００上で操舵制御を行うことで、ムービングベルト２００上に車両スケールモデル１００を保持する。
【００１９】
前輪１１０及び後輪１２０は、それ自体が駆動力を発生させるものではない。このため、ムービングベルト２００が動いた際に、車両スケールモデル１００が後方に流されていくのを防ぐため、ワイヤ４００が車両スケールモデル１００を前方から支持する。
【００２０】
安全装置５００は、車両スケールモデル１００を上昇させるためのワイヤ５１０を備えている。車両スケールモデル１００がムービングベルト２００上から逸脱する可能性がある場合に、ワイヤ５１０を矢印Ａ１方向に引っ張ることで、車両スケールモデル１００を上昇させる。
【００２１】
また、車両スケールモデル１００は、後輪１２０の車輪速を検出する車輪速センサ１３０と、上述した操舵用アクチュエータ１１２と、車両スケールモデル１００の前方に設けられた基準用ＬＥＤ６００を撮影するカメラ１４０を備えている。
【００２２】
図２は、安全装置５００により車両スケールモデル１００を上昇させた状態を示す模式図である。図２の下側には、安全装置５００の構成を示している。安全装置５００は、アクチュエータ５２０を備えている。アクチュエータ５２０が、ワイヤ５１０が接続された部材５３０を矢印Ａ２方向に駆動することで、ワイヤが矢印Ａ１方向に引っ張られ、車両スケールモデル１００が上昇する。
【００２３】
図３は、車両スケールモデル１００を示す斜視図である。図３に示す例では、車両スケールモデル１００の前方の２箇所にワイヤ５１０が接続され、車両スケールモデル１００の後方の１箇所にワイヤ５１０が接続されている。ワイヤ５１０で車両スケールモデル１００の３点を同時に上方向に持ち上げ、平面を保ったまま車両スケールモデル１０００をムービングベルト２００から持ち上げる。なお、車両スケールモデル１００を上昇させるためのワイヤ５１０の本数、ワイヤ５１０の配置は、図３の例に限定されるものではない。
【００２４】
上述のように、前輪１１０は、ムービングベルト２００上で操舵が可能とされている。本実施形態では、車両スケールモデル１００が備えるカメラ１４０が基準用ＬＥＤ６００を撮影し、撮影領域内での基準用ＬＥＤ６００の位置ずれ量を計測し、位置ずれ量に基づいて前輪１１０の操舵を行う。
【００２５】
図４Ａ及び図４Ｂは、カメラ１４０が撮影した画像の領域１４２と、領域１４２内の基準用ＬＥＤ６００の位置を示す模式図である。図４Ａは、イニシャル設定時の状態を示しており、領域１４２の中央に基準用ＬＥＤ６００が位置している。図４Ａに示す基準用ＬＥＤ６００の位置が基準点になる。
【００２６】
図４Ｂは、図４Ａに対して基準用ＬＥＤ６００の位置にずれが発生した状態を示している。図４Ｂにおいて、基準点からのずれ量は、ピクセル数から判定する。図４Ｂは、図４Ａに対して２ピクセル分だけ基準用ＬＥＤ６００の位置にずれが発生している。例えば、７２０ｄｐｉの場合、１ピクセル分のずれ量は０．３５３ｍｍとして計測される。なお、１ピクセル分のずれ量は、カメラ１４０の光学系の諸元、撮像素子の諸元を考慮して適宜定めることができる。
【００２７】
図５は、前輪１１０の操舵と安全装置５００の制御を行う制御装置７００とその周辺の構成を示す模式図である。制御装置７００は、カメラ１４０が撮影した画像データを２値化する２値化信号処理部７１０と、２値化した画像データに基づいて横ずれ量を計算する横ずれ量計算部７２０と、を有して構成されている。また、制御装置７００は、車輪速センサ１３０が検出した車輪速から車速を取得する車速取得部７３０と、横ずれ量と車輪速に基づいて操舵量を計算する操舵量計算部７４０と、操舵量に基づいて操舵用アクチュエータ１１２、または安全装置５００のアクチュエータ５２０を制御するアクチュエータ制御部７５０と、を有して構成されている。なお、車速取得部７３０は、ムービングベルト２００の速度から車速を取得しても良い。制御装置７００の各構成要素は、回路（ハードウェア）、またはＣＰＵなどの中央演算処理装置とこれを機能させるためのプログラム（ソフトウェア）によって構成されることができる。
【００２８】
図５に示すように、通常時は、操舵量計算部７４０が計算した操舵量に基づいて、前輪１１０の操舵を行う操舵用アクチュエータ１１２が制御される。これにより、ムービングベルト２００上から車両スケールモデル１００が逸脱することなく、風洞計測を行うことができる。
【００２９】
一方、異常時などには、前輪１１０の操舵量が大きくなり、ムービングベルト２００上から車両スケールモデル１００が逸脱する可能性がある。このような場合、安全装置５００のアクチュエータ５２０を作動させ、図２に示したように、ワイヤ５１０を矢印Ａ１方向に引っ張ることで、車両スケールモデル１００を上昇させる。これにより、車両スケールモデル１００がムービングベルト２００上に接地していない状態となり、走行中の車両スケールモデル１００を安全に持ち上げ、風洞実験システム１０００を停止させることが可能となる。
【００３０】
図６は、安全装置５００を作動させる処理を示すフローチャートである。先ず、ステップＳ１０では、車輪速取得部７３０が車輪速を取得する。次のステップＳ１２では、図７に示す閾値判定グラフを用いて、制御可能な操舵角度限界値α０を計算する。
【００３１】
図７に示す閾値判定グラフは、車速（横軸）に応じた、制御可能な操舵角限界値α０（縦軸）の特性を示している。図７に示すように、車速が高くなるほど、制御可能な操舵角限界値α０は低下する。図７に示す閾値判定グラフは、カメラ１４０した中央維持の車両運動シミュレーションにより、横ずれ量に対する操舵の収束性についてシミュレーションを行い、操舵限界を同定することで得ることができる。各速度ごとに収束操舵可能な角度には限界があるため、走行中に基準点とのずれ量を常に検出し、そのずれ量が閾値を超えた場合に安全装置５００を作動させる。
【００３２】
次のステップＳ１４では、カメラ１４０が撮影した画像から、横ずれ量計算部７２０が基準用ＬＥＤ６００の横ずれ量ｙを計算する。
【００３３】
次のステップＳ１６では、操舵量計算部７４０が、横ずれ量ｙから、基準用ＬＥＤ６００の位置を図４Ａに示す初期位置に戻すための操舵角θを算出する。図８は、横ずれ量ｙから操舵角θを算出する方法を説明するための模式図であって、上方から車両スケールモデル１００、基準用ＬＥＤ６００を見た状態を示している。図８に示すように、カメラ１４０が撮影した画像から算出した横ずれ量ｙと、ワイヤ４００の長さ（ワイヤ長Ｌ）とから、ワイヤ角度βが以下の式（１）より算出される。
β＝ｓｉｎ−１（ｙ／Ｌ）      ・・・（１）
【００３４】
ワイヤ角度βを０［ｄｅｇ］に収束させるための転舵制御を車両スケールモデル１００に搭載した操舵用アクチュエータ１１２により行う。ワイヤ角度βは、操舵用アクチュエータ１１２の転舵角δを制御することにより線形比例して変化するため、以下の式（２）が成立する。なお、λは操舵用アクチュエータ１１２の固有の定数である。
δ＊λ＝β      ・・・（２）
【００３５】
操舵角θは、以下の式（３）により算出される。ここで、Ｋｓは操舵角と転舵角の係数であり、Ｋｖは車速に関する係数である。また、ｖは車速である。
θ＝ Ｋｓ（δ＊λ）＊Ｋｖ（１／Ｖ）      ・・・（３）
【００３６】
操舵によりワイヤ角度βが変わった場合、その角度に対する操舵角を設定し、制御情報を更新する。補助情報として加速度センサにより横変位を算出してもよい。図９は、ワイヤ角度βと車速ｖに基づいて、ＰＩＤ演算により操舵角θを演算する構成を示す模式図である。図９において、画像処理部７６０は、カメラ１４０が撮影した画像に基づいてワイヤ角度βを算出するブロックであり、上述した２値化信号処理部７１０、横ずれ量計算部７２０、操舵量計算部７４０の一部の構成に相当する。また、ＰＩＤ制御器１及びＰＩＤ制御器２からなる破線で囲んだブロックは、操舵量計算部７４０に相当する。
【００３７】
以上のように、ステップＳ１６では、ワイヤ角度βと車速に基づいて、基準用ＬＥＤ６００の位置を図４Ａに示す初期位置に戻すための操舵角θを算出することができる。次のステップＳ１８では、ステップＳ１６で求めた操舵角θがステップＳ１２で求めた操舵角限界値α０よりも大きいか否かを判定し、操舵角θが操舵角限界値α０よりも大きい場合はステップＳ２０へ進む。
【００３８】
ステップＳ２０では、安全装置５００を作動する。これにより、図２に示したように、車両スケールモデル１００が上方に持ち上げられる。ステップＳ２０の後は処理を終了する。
【００３９】
以上のように、図６の処理によれば、車両スケールモデル１００に横ずれが発生した場合に、基準用ＬＥＤ６００の位置を図４Ａに示す初期位置に戻すための操舵角θが操舵角限界値α０よりも大きい場合は、安全装置５００を作動する。これにより、操舵角θが車速に応じて定まる限界値α０よりも大きい場合に、車両スケールモデル１００がムービングベルト２００上から逸脱し、ムービングベルト２００上から落下してしまうなどの事態を確実に抑止できる。
【００４０】
以上説明したように本実施形態によれば、車両スケールモデル１００がムービングベルト２００上から逸脱する可能性がある場合に、安全装置５００を作動させて車両モデル１００を持ち上げるようにした。従って、車両スケールモデル１００がムービングベルト２００上から落下するなどの事態を確実に抑止することが可能となる。
【００４１】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００４２】
１００    車両スケールモデル
１１０    前輪
１２０    後輪
１４０    カメラ
２００    ムービングベルト
４００    ワイヤ
５００    安全装置
５１０    ワイヤ
５２０    アクチュエータ
７００    制御装置
【図１】
2020153672.tif 000003
【図２】
2020153672.tif 000004
【図３】
2020153672.tif 000005
【図４Ａ】
2020153672.tif 000006
【図４Ｂ】
2020153672.tif 000007
【図５】
2020153672.tif 000008
【図６】
2020153672.tif 000009
【図７】
2020153672.tif 000010
【図８】
2020153672.tif 000011
【図９】
2020153672.tif 000012